(57)【要約】  組立作業効率を向上させることができるエレベータ用かご枠装置を得る。このエレベータ用かご枠装置は、下梁１と、下梁１よりも上方に設けられる上梁２と、下梁１と上梁２との間に渡って設けられる縦柱３とを備え、下梁１は、互いに対向する一対の固定部１１を有し、縦柱３は、一対の固定部１１の間に挿入される挿入部３４を有し、挿入部３４は、一対の固定部１１の一方に締結具１２によって固定される第１柱取付部３１１と、一対の固定部１１の他方に締結具１２によって固定される第２柱取付部３２１とを含み、第１柱取付部３１１の剛性および第２柱取付部３２１の剛性は、互いに異なる。
2019038810.tif 000002
【特許請求の範囲】
【請求項１】
下梁と、
前記下梁よりも上方に設けられる上梁と、
前記下梁と前記上梁との間に渡って設けられる縦柱と
を備え、
前記下梁および前記上梁の少なくとも一方は、互いに対向する一対の固定部を有し、
前記縦柱は、一対の前記固定部の間に挿入される挿入部を有し、
前記挿入部は、一対の前記固定部の一方に締結具によって固定される第１柱取付部と、一対の前記固定部の他方に締結具によって固定される第２柱取付部とを含み、
前記第１柱取付部の剛性および前記第２柱取付部の剛性は、互いに異なるエレベータ用かご枠装置。
【請求項２】
前記縦柱は、前記第１柱取付部を含む第１縦柱部材と、前記第２柱取付部を含む第２縦柱部材と、前記第１縦柱部材と前記第２縦柱部材とを互いに連結する連結部材とを有し、
前記第１縦柱部材および前記第２縦柱部材は、互いに別部材となっている請求項１に記載のエレベータ用かご枠装置。
【請求項３】
前記挿入部には、切欠きが形成されており、
前記切欠きは、一対の前記固定部が互いに対向する方向である対向方向について、前記第１柱取付部と前記第２柱取付部との間に配置されている請求項１に記載のエレベータ用かご枠装置。
【請求項４】
前記切欠きは、高さ方向に延びて配置されており、前記対向方向についての前記挿入部の中心から前記対向方向にずれて配置されている請求項３に記載のエレベータ用かご枠装置。
【請求項５】
前記挿入部には、溝が形成されており、
前記溝は、一対の前記固定部が互いに対向する方向である対向方向について、前記第１柱取付部と前記第２柱取付部との間に配置されている請求項１に記載のエレベータ用かご枠装置。
【請求項６】
前記溝は、高さ方向に延びて配置されており、前記対向方向についての前記挿入部の中心から前記対向方向にずれて配置されている請求項５に記載のエレベータ用かご枠装置。
【請求項７】
下梁と、
前記下梁よりも上方に設けられる上梁と、
前記下梁と前記上梁との間に渡って設けられる縦柱と
を備え、
前記下梁および前記上梁の少なくとも一方は、互いに対向する一対の固定部を有し、
前記縦柱は、一対の前記固定部の間に挿入される挿入部を有し、
前記挿入部は、一対の前記固定部の一方に締結具によって固定され、一対の前記固定部の他方に締結具によって固定され、
一対の前記固定部のそれぞれの剛性は、互いに異なるエレベータ用かご枠装置。
【発明の詳細な説明】
【技術分野】
【０００１】
この発明は、かご室を支持するエレベータ用かご枠装置に関する。
【背景技術】
【０００２】
従来、かご室を支持する下梁と、それぞれが下梁から上方に延びる一対の縦柱と、一対の縦柱のそれぞれの上端部に渡って設けられた上梁とを備えたエレベータ用かご枠装置が知られている。下梁は、かご室の奥行方向について縦柱を挟む一対の固定部を有している。一対の固定部のそれぞれは、複数のボルトを用いて縦柱に対して固定される。縦柱における一対の固定部に挟まれる部分であって、かご室の奥行方向についての中心には、高さ方向に延びる切欠きが形成されている（例えば、特許文献１参照）。
【先行技術文献】
【特許文献】
【０００３】
【特許文献１】特開２００９−１８４７９１号公報
【発明の概要】
【発明が解決しようとする課題】
【０００４】
しかしながら、一対の固定部が縦柱に対して固定される前の状態では、一対の固定部の間に縦柱を入れ易くするために、一対の固定部のそれぞれと縦柱との間には隙間が形成されている。一対の固定部が縦柱に対して固定される場合には、一対の固定部のそれぞれと縦柱との間の隙間がなくなるように、縦柱は切欠きによって容易に変形する。切欠きが縦柱におけるかご室の奥行方向についての中心に形成されているので、縦柱が鉛直方向に延びたままの状態で一対の固定部のそれぞれと縦柱との間の隙間がなくなるように縦柱を変形させるためには、複数のボルトのそれぞれの締付量および複数のボルトのそれぞれの締付順序のそれぞれの試行錯誤を繰り返さなければならず、組立作業効率が悪いという課題があった。【０００５】
この発明は、上述のような課題を解決するためになされたものであり、その目的は、組立作業効率を向上させることができるエレベータ用かご枠装置を提供するものである。
【課題を解決するための手段】
【０００６】
この発明に係るエレベータ用かご枠装置は、下梁と、下梁よりも上方に設けられる上梁と、下梁と上梁との間に渡って設けられる縦柱とを備え、下梁および上梁の少なくとも一方は、互いに対向する一対の固定部を有し、縦柱は、一対の固定部の間に挿入される挿入部を有し、挿入部は、一対の固定部の一方に締結具によって固定される第１柱取付部と、一対の固定部の他方に締結具によって固定される第２柱取付部とを含み、第１柱取付部の剛性および第２柱取付部の剛性は、互いに異なる。
【発明の効果】
【０００７】
この発明に係るエレベータ用かご枠装置によれば、第１柱取付部の剛性および第２柱取付部の剛性が互いに異なるので、締結具によって一対の固定部を縦柱に固定する場合に、第１柱取付部および第２柱取付部の中の剛性が高い方は、剛性が低い方と比較して、変形量が小さい。したがって、第１柱取付部および第２柱取付部における剛性が高い方に対して先に固定部を固定することによって、縦柱が鉛直方向に延びたままの状態で一対の固定部のそれぞれと縦柱との間の隙間がなくなるように縦柱を変形させることができる。これにより、複数の締結具のそれぞれの締付量および複数の締結具のそれぞれの締付順序のそれぞれの試行錯誤を繰り返す必要がなくなる。その結果、エレベータ用かご枠装置の組立作業効率を向上させることができる。
【図面の簡単な説明】
【０００８】
【図１】この発明の実施の形態１に係るエレベータ用かご枠装置を示す正面図である。
【図２】図１のエレベータ用かご枠装置を示す側面図である。
【図３】図１のＩＩＩ−ＩＩＩ線に沿った矢視断面図である。
【図４】この発明の実施の形態２に係るエレベータ用かご枠装置を示す正面図である。
【図５】図４のエレベータ用かご枠装置を示す側面図である。
【図６】図４のＶＩ−ＶＩ線に沿った矢視断面図である。
【図７】この発明の実施の形態３に係るエレベータ用かご枠装置を示す正面図である。
【図８】図７のエレベータ用かご枠装置を示す側面図である。
【図９】図７のＩＸ−ＩＸ線に沿った矢視断面図である。
【図１０】この発明の実施の形態４に係るエレベータ用かご枠装置を示す正面図である。
【図１１】図１０のエレベータ用かご枠装置を示す側面図である。
【図１２】図１０のＸＩＩ−ＸＩＩ線に沿った矢視断面図である。
【発明を実施するための形態】
【０００９】
実施の形態１．
図１はこの発明の実施の形態１に係るエレベータ用かご枠装置を示す正面図、図２は図１のエレベータ用かご枠装置を示す側面図、図３は図１のＩＩＩ−ＩＩＩ線に沿った矢視断面図である。この発明の実施の形態１に係るエレベータ用かご枠装置は、図示しないかご室を支持する。このエレベータ用かご枠装置は、かご室の幅方向に延びて設けられかご室を支持する下梁１と、下梁１よりも上方に設けられる上梁２と、下梁１と上梁２との渡って設けられる一対の縦柱３とを備えている。一対の縦柱３のそれぞれは、下梁１から上方に延びて配置されている。上梁２は、かご室よりも上方で一対の縦柱３のそれぞれの上端部に渡って配置されている。一対の縦柱３は、一対の縦柱３の間にかご室が幅方向に挟まれるように配置されている。かご室の幅方向とは、かご室の間口方向であり、図１の矢印Ａの方向である。
【００１０】
下梁１は、かご室の奥行方向について縦柱３の下端部を挟む一対の固定部１１を有している。一対の固定部１１は、かご室の奥行方向について互いに対向している。一対の固定部１１の互いに対向する方向である対向方向は、かご室の奥行方向である。かご室の奥行方向とは、図２の矢印Ｂの方向である。一対の固定部１１のそれぞれは、複数の締結具１２を用いて縦柱３に対して固定されている。締結具１２としては、例えば、ボルト、ねじなどが挙げられる。
【００１１】
上梁２は、かご室の奥行方向Ｂについて縦柱３の上端部を挟む一対の固定部２１を有している。一対の固定部２１は、かご室の奥行方向について互いに対向している。一対の固定部２１の互いに対向する方向である対向方向は、かご室の奥行方向Ｂである。一対の固定部２１のそれぞれは、複数の締結具２２を用いて縦柱３に対して固定されている。締結具２２としては、例えば、ボルト、ねじなどが挙げられる。
【００１２】
縦柱３は、下梁１と上梁２とに渡って設けられた第１縦柱部材３１と、下梁１と上梁２とに渡って設けられた第２縦柱部材３２と、第１縦柱部材３１と第２縦柱部材３２とを連結する複数の連結部材３３とを有している。第１縦柱部材３１は、第２縦柱部材３２よりもかご室の奥行方向Ｂについて乗場側に配置されている。言い換えれば、第２縦柱部材３２は、第１縦柱部材３１よりもかご室の奥行方向Ｂについて乗場から離れて配置されている。複数の連結部材３３は、高さ方向に間隔を置いて並べて配置されている。
【００１３】
かご室の奥行方向Ｂについての第１縦柱部材３１の寸法は、高さ方向全領域に渡って同一となっている。かご室の奥行方向Ｂについての第２縦柱部材３２の寸法は、高さ方向全領域に渡って同一となっている。
【００１４】
縦柱３は、一対の固定部１１の間に挿入される挿入部３４を有している。挿入部３４は、一対の固定部１１の一方に締結具１２によって固定される第１柱取付部３１１と、一対の固定部１１の他方に締結具１２によって固定される第２柱取付部３２１とを含んでいる。また、縦柱３は、一対の固定部２１の間に挿入される挿入部３５を有している。挿入部３４は、一対の固定部２１の一方に締結具２２によって固定される第１柱取付部３１２と、一対の固定部１１の他方に締結具２２によって固定される第２柱取付部３２２とを含んでいる。第１縦柱部材３１は、第１柱取付部３１１および第１柱取付部３１２を含んでいる。第２縦柱部材３２は、第２柱取付部３２１および第２柱取付部３２２を含んでいる。第１縦柱部材３１および第２縦柱部材３２は、互いに別部材となっている。
【００１５】
かご室の奥行方向Ｂについて、第１縦柱部材３１の寸法および第２縦柱部材３２の寸法のそれぞれは、互いに異なる。したがって、第１縦柱部材３１および第２縦柱部材３２のそれぞれの剛性は、互いに異なる。これにより、第１柱取付部３１１および第２柱取付部３２１のそれぞれの剛性は、互いに異なり、第１柱取付部３１２および第２柱取付部３２２のそれぞれの剛性は、互いに異なる。
【００１６】
具体的には、かご室の奥行方向Ｂについて、第１縦柱部材３１の寸法は、第２縦柱部材３２の寸法よりも大きい。したがって、第１縦柱部材３１の剛性は、第２縦柱部材３２の剛性よりも高い。これにより、第１柱取付部３１１の剛性は、第２柱取付部３２１の剛性よりも高く、第１柱取付部３１２の剛性は、第２柱取付部３２２の剛性よりも高い。かご室の奥行方向Ｂについての第１柱取付部３１１と第２柱取付部３２１との剛性比は、例えば、約５：１から１０：１までの間となっている。かご室の奥行方向Ｂについての第１柱取付部３１２と第２柱取付部３２２との剛性比は、例えば、約５：１から１０：１までの間となっている。
【００１７】
縦柱３における下端部から、複数の連結部材３３の中で最下部に配置された連結部材３３までの寸法は、固定部１１の高さ方向の寸法よりも大きいことが望ましい。言い換えれば、一対の固定部１１の間には、連結部材３３が配置されないことが望ましい。また、縦柱３における上端部から、複数の連結部材３３の中で最上部に配置された連結部材３３までの寸法は、固定部２１の高さ方向の寸法よりも大きいことが望ましい。言い換えれば、一対の固定部２１の間には、連結部材３３が配置されないことが望ましい。
【００１８】
なお、縦柱３と一対の固定部１１との間の隙間および縦柱３と一対の固定部２１との間の隙間にスペーサを挿入してもよい。この場合、縦柱３を一対の固定部１１の間に挿入し、縦柱３を一対の固定部２１に挿入する際のスペーサの変形を回避するために、スペーサの厚さ方向の寸法は０．５ｍｍ以上が必要である。したがって、スペーサを用いた場合であっても、縦柱３とスペーサとの間およびスペーサと固定部１１との間には、合わせて０．５ｍｍ未満の空間が形成され、縦柱３とスペーサとの間およびスペーサと固定部２１との間には、合わせて０．５ｍｍ未満の空間が形成される。
【００１９】
固定部１１および固定部２１の高さ方向の寸法に対して縦柱３の高さ方向の寸法は１０倍以上あるため、単純計算によると、縦柱３の変形量は、０．５（ｍｍ）×１０＝５（ｍｍ）となる。±５ｍｍである縦柱３の変形量について、従来は、締結具１２および締結具２２の締付量および締付順序のそれぞれの試行錯誤によって低減させていた。本発明では、第１柱取付部３１１と第２柱取付部３２１との剛性比は、例えば、約５：１から１０：１までの間となっており、第１柱取付部３１２と第２柱取付部３２２との剛性比は、例えば、約５：１から１０：１までの間となっているので、±５ｍｍである縦柱３の変形量は、順序良く組み立てることによって、±０．５ｍｍから±１ｍｍまでの間に抑制することができる。この程度の縦柱３の変形量は、エレベータ用かご枠装置をガイドするガイドシューなどで十分に吸収可能である。したがって、縦柱３の変形を修正する必要がない。したがって、精度が高く作業効率がよいエレベータ用かご枠装置を得ることができる。
【００２０】
次に、エレベータ用かご枠装置の組立手順について説明する。まず、一対の固定部１１の間に縦柱３の下端部を挿入し、一対の固定部２１の間に縦柱３の上端部を挿入する。一対の固定部１１の間に縦柱３を入れ易くするために、一対の固定部１１のそれぞれと縦柱３との間には隙間が形成される。また、一対の固定部２１の間に縦柱３を入れ易くするために、一対の固定部２１のそれぞれと縦柱３との間には隙間が形成される。
【００２１】
その後、複数の締結具１２を用いて第１柱取付部３１１に対して固定部１１を固定し、さらに、複数の締結具２２を用いて第１柱取付部３１２に対して固定部２１を固定する。第１柱取付部３１１に対して固定部１１を固定し、第１柱取付部３１２に対して固定部２１を固定すると、かご室の奥行方向Ｂについて第１柱取付部３１１と固定部１１との間の隙間がなくなり、また、かご室の奥行方向Ｂについて第１柱取付部３１２と固定部２１との間の隙間がなくなる。これにより、かご室の奥行方向Ｂについて第２柱取付部３２１と固定部１１との間に隙間が大きくなり、また、かご室の奥行方向Ｂについて第２柱取付部３２２と固定部２１との間に隙間が大きくなる。
【００２２】
その後、複数の締結具１２を用いて第２柱取付部３２１に対して固定部１１を固定し、さらに、複数の締結具２２を用いて第２柱取付部３２２に対して固定部２１を固定する。このとき、第２柱取付部３２１と固定部１１との間の隙間および第２柱取付部３２２と固定部２１との間の隙間がなくなるように縦柱３が変形する。また、このとき、第１柱取付部３１１の剛性が第２柱取付部３２１の剛性よりも高く、第１柱取付部３１２の剛性が第２柱取付部３２２の剛性よりも高いので、第１柱取付部３１１の変形量は第２柱取付部３２１の変形量よりも小さく、第１柱取付部３１２の変形量は第２柱取付部３２２の変形量よりも小さい。したがって、縦柱３が鉛直方向に延びたままの状態で一対の固定部１１のそれぞれと縦柱３との間の隙間および一対の固定部２１のそれぞれと縦柱３との間の隙間のそれぞれがなくなるように縦柱３を変形させることができる。
【００２３】
以上説明したように、この発明の実施の形態１に係るエレベータ用かご枠装置によれば、第１柱取付部３１１の剛性が第２柱取付部３２１の剛性よりも高いので、締結具１２によって一対の固定部１１を縦柱３に固定する場合に、第１柱取付部３１１は、第２柱取付部３２１と比較して変形量が小さい。したがって、第１柱取付部３１１に対して先に固定部１１を固定することによって、縦柱３が鉛直方向に延びたままの状態で一対の固定部１１のそれぞれと縦柱３との間の隙間がなくなるように縦柱３を変形させることができる。これにより、複数の締結具１２のそれぞれの締付量および複数の締結具１２のそれぞれの締付順序のそれぞれの試行錯誤を繰り返す必要がなくなる。その結果、エレベータ用かご枠装置の組立作業効率を向上させることができる。
【００２４】
また、このエレベータ用かご枠装置は、第１柱取付部３１２の剛性が第２柱取付部３２２の剛性よりも高いので、締結具２２によって一対の固定部２１を縦柱３に固定する場合に、第１柱取付部３１２は、第２柱取付部３２２と比較して変形量が小さい。したがって、第１柱取付部３１２に対して先に固定部２１を固定することによって、縦柱３が鉛直方向に延びたままの状態で一対の固定部２１のそれぞれと縦柱３との間の隙間がなくなるように縦柱３を変形させることができる。これにより、複数の締結具２２のそれぞれの締付量および複数の締結具２２のそれぞれの締付順序のそれぞれの試行錯誤を繰り返す必要がなくなる。その結果、エレベータ用かご枠装置の組立作業効率を向上させることができる。
【００２５】
また、縦柱３は、第１柱取付部３１１を含む第１縦柱部材３１と、第２柱取付部３２１を含む第２縦柱部材３２と、第１縦柱部材３１と第２縦柱部材３２とを連結する連結部材３３とを有し、第１縦柱部材３１および第２縦柱部材３２は、互いに別部材となっている。これにより、簡単な構成で、第１柱取付部３１１および第２柱取付部３２１を形成することができる。また、縦柱３は、第１柱取付部３１２を含む第１縦柱部材３１と、第２柱取付部３２２を含む第２縦柱部材３２と、第１縦柱部材３１と第２縦柱部材３２とを連結する連結部材３３とを有し、第１縦柱部材３１および第２縦柱部材３２は、互いに別部材となっている。これにより、簡単な構成で、第１柱取付部３１２および第２柱取付部３２２を形成することができる。
【００２６】
実施の形態２．
図４はこの発明の実施の形態２に係るエレベータ用かご枠装置を示す正面図、図５は図４のエレベータ用かご枠装置を示す側面図、図６は図４のＶＩ−ＶＩ線に沿った矢視断面図である。実施の形態１では、縦柱３が、第１縦柱部材３１、第２縦柱部材３２および複数の連結部材３３を備えた構成について説明した。実施の形態１の構成は、縦柱３を一部材で構成することができないような、大型のエレベータにおけるエレベータ用かご枠装置または大容量のエレベータにおけるエレベータ用かご枠装置に適している。実施の形態２の構成は、縦柱３を一部材で構成することができるような、中型のエレベータにおけるエレベータ用かご枠装置または中容量のエレベータにおけるエレベータ用かご枠装置に適している。
【００２７】
縦柱３の挿入部３４には、切欠き３４１が形成されている。切欠き３４１は、高さ方向に延びて配置されている。切欠き３４１は、かご室の奥行方向Ｂについての挿入部３４の中心から奥行方向Ｂにずれて配置されている。具体的には、切欠き３４１は、かご室の奥行方向Ｂについての挿入部３４の中心から奥行方向Ｂについて乗場から離れる方向にずれて配置されている。縦柱３の挿入部３４は、一対の固定部１１の一方に締結具１２によって固定される第１柱取付部３１１と、一対の固定部１１の他方に締結具１２によって固定される第２柱取付部３２１とを有している。切欠き３４１は、かご室の奥行方向Ｂについて第１柱取付部３１１と第２柱取付部３２１との間に配置されている。縦柱３の挿入部３４に切欠き３４１が形成されることによって、第１柱取付部３１１の剛性および第２柱取付部３２１の剛性は、互いに異なる。
【００２８】
縦柱３の挿入部３５には、切欠き３５１が形成されている。切欠き３５１は、高さ方向に延びて配置されている。切欠き３５１は、かご室の奥行方向Ｂについての挿入部３５の中心から奥行方向Ｂにずれて配置されている。具体的には、切欠き３５１は、かご室の奥行方向Ｂについての挿入部３４の中心から奥行方向Ｂについて乗場から離れる方向にずれて配置されている。縦柱３の挿入部３５は、一対の固定部２１の一方に締結具２２によって固定される第１柱取付部３１２と、一対の固定部２１の他方に締結具２２によって固定される第２柱取付部３２２とを有している。切欠き３５１は、かご室の奥行方向Ｂについて第１柱取付部３１２と第２柱取付部３２２との間に配置されている。縦柱３の挿入部３５に切欠き３５１が形成されることによって、第１柱取付部３１２の剛性および第２柱取付部３２２の剛性は、互いに異なる。
【００２９】
具体的には、第１柱取付部３１１の剛性は、第２柱取付部３２１の剛性よりも高く、第１柱取付部３１２の剛性は、第２柱取付部３２２の剛性よりも高い。かご室の奥行方向Ｂについての第１柱取付部３１１と第２柱取付部３２１との剛性比は、例えば、約５：１から１０：１までの間となっている。かご室の奥行方向Ｂについての第１柱取付部３１２と第２柱取付部３２２との剛性比は、例えば、約５：１から１０：１までの間となっている。その他の構成は、実施の形態１と同様である。
【００３０】
切欠き３４１の長さ方向の寸法は、固定部１１の高さ方向の寸法よりも大きく、切欠き３５１の長さ方向の寸法は、固定部２１の高さ方向の寸法よりも大きいことが望ましい。言い換えれば、一対の固定部１１の間には、高さ方向全領域に渡って切欠き３４１が形成され、一対の固定部２１の間には、高さ方向全領域に渡って切欠き３５１が形成されることが望ましい。
【００３１】
次に、エレベータ用かご枠装置の組立手順について説明する。まず、一対の固定部１１の間に縦柱３の下端部を挿入し、一対の固定部２１の間に縦柱３の上端部を挿入する。一対の固定部１１の間に縦柱３を入れ易くするために、一対の固定部１１のそれぞれと縦柱３との間には隙間が形成される。また、一対の固定部２１の間に縦柱３を入れ易くするために、一対の固定部２１のそれぞれと縦柱３との間には隙間が形成される。
【００３２】
その後、複数の締結具１２を用いて第１柱取付部３１１に対して固定部１１を固定し、さらに、複数の締結具２２を用いて第１柱取付部３１２に対して固定部２１を固定する。第１柱取付部３１１に対して固定部１１を固定し、第１柱取付部３１２に対して固定部２１を固定すると、かご室の奥行方向Ｂについて第１柱取付部３１１と固定部１１との間の隙間がなくなり、また、かご室の奥行方向Ｂについて第１柱取付部３１２と固定部２１との間の隙間がなくなる。これにより、かご室の奥行方向Ｂについて第２柱取付部３２１と固定部１１との間に隙間が大きくなり、また、かご室の奥行方向Ｂについて第２柱取付部３２２と固定部２１との間に隙間が大きくなる。
【００３３】
その後、複数の締結具１２を用いて第２柱取付部３２１に対して固定部１１を固定し、さらに、複数の締結具２２を用いて第２柱取付部３２２に対して固定部２１を固定する。このとき、第２柱取付部３２１と固定部１１との間の隙間および第２柱取付部３２２と固定部２１との間の隙間がなくなるように縦柱３が変形する。また、このとき、第１柱取付部３１１の剛性が第２柱取付部３２１の剛性よりも高く、第１柱取付部３１２の剛性が第２柱取付部３２２の剛性よりも高いので、第１柱取付部３１１の変形量は第２柱取付部３２１の変形量よりも小さく、第１柱取付部３１２の変形量は第２柱取付部３２２の変形量よりも小さい。したがって、縦柱３が鉛直方向に延びたままの状態で一対の固定部１１のそれぞれと縦柱３との間の隙間および一対の固定部２１のそれぞれと縦柱３との間の隙間のそれぞれがなくなるように縦柱３を変形させることができる。
【００３４】
以上説明したように、この発明の実施の形態２に係るエレベータ用かご枠装置によれば、挿入部３４には切欠き３４１が形成され、切欠き３４１は、かご室の奥行方向Ｂについて、第１柱取付部３１１と第２柱取付部３２１との間に配置されているので、簡単な構成で、第１柱取付部３１１および第２柱取付部３２１を形成することができる。また、挿入部３５には切欠き３５１が形成され、切欠き３５１は、かご室の奥行方向Ｂについて、第１柱取付部３１２と第２柱取付部３２２との間に配置されているので、簡単な構成で、第１柱取付部３１２および第２柱取付部３２２を形成することができる。
【００３５】
また、切欠き３４１は、高さ方向に延びて配置されており、かご室の奥行方向Ｂについての挿入部３４の中心から奥行方向Ｂにずれて配置されているので、簡単な構成で、第１柱取付部３１１および第２柱取付部３２１を形成することができる。また、切欠き３５１は、高さ方向に延びて配置されており、かご室の奥行方向Ｂについての挿入部３５の中心から奥行方向Ｂにずれて配置されているので、簡単な構成で、第１柱取付部３１２および第２柱取付部３２２を形成することができる。
【００３６】
実施の形態３．
図７はこの発明の実施の形態３に係るエレベータ用かご枠装置を示す正面図、図８は図７のエレベータ用かご枠装置を示す側面図、図９は図７のＩＸ−ＩＸ線に沿った矢視断面図である。実施の形態２では、縦柱３が一部材で構成され、縦柱３に切欠き３４１および切欠き３５１が形成された構成について説明した。実施の形態２の構成は、中型のエレベータにおけるエレベータ用かご枠装置または中容量のエレベータにおけるエレベータ用かご枠装置に適している。実施の形態３の構成は、縦柱３に切欠き３４１および切欠き３５１を形成することができないような、小型のエレベータにおけるエレベータ用かご枠装置または小容量のエレベータにおけるエレベータ用かご枠装置に適している。
【００３７】
縦柱３の挿入部３４には、溝３４２が形成されている。溝３４２は、高さ方向に延びて配置されている。溝３４２は、かご室の奥行方向Ｂについての挿入部３４の中心から奥行方向Ｂにずれて配置されている。具体的には、溝３４２は、かご室の奥行方向Ｂについての挿入部３４の中心から奥行方向Ｂについて乗場から離れる方向にずれて配置されている。縦柱３の挿入部３４は、一対の固定部１１の一方に締結具１２によって固定される第１柱取付部３１１と、一対の固定部１１の他方に締結具１２によって固定される第２柱取付部３２１とを有している。溝３４２は、かご室の奥行方向Ｂについて第１柱取付部３１１と第２柱取付部３２１との間に配置されている。
【００３８】
挿入部３４における溝３４２が形成された部分は、厚みを有している。つまり、挿入部３４における溝３４２が形成された部分は、厚さ方向に貫通していない。挿入部３４における溝３４２が形成された部分の厚さ方向の寸法は、挿入部３４における溝３４２が形成されていない部分の厚さ方向の寸法よりも小さい。縦柱３の挿入部３４に溝３４２が形成されることによって、第１柱取付部３１１の剛性および第２柱取付部３２１の剛性は、互いに異なる。
【００３９】
縦柱３の挿入部３５には、溝３５２が形成されている。溝３５２は、高さ方向に延びて配置されている。溝３５２は、かご室の奥行方向Ｂについての挿入部３５の中心から奥行方向Ｂにずれて配置されている。具体的には、溝３５２は、かご室の奥行方向Ｂについての挿入部３５の中心から奥行方向Ｂについて乗場から離れる方向にずれて配置されている。縦柱３の挿入部３５は、一対の固定部２１の一方に締結具２２によって固定される第１柱取付部３１２と、一対の固定部２１の他方に締結具２２によって固定される第２柱取付部３２２とを有している。溝３５２は、かご室の奥行方向Ｂについて第１柱取付部３１２と第２柱取付部３２２との間に配置されている。
【００４０】
挿入部３５における溝３５２が形成された部分は、厚みを有している。つまり、挿入部３５における溝３５２が形成された部分は、厚さ方向に貫通していない。挿入部３５における溝３５２が形成された部分の厚さ方向の寸法は、挿入部３５における溝３５２が形成されていない部分の厚さ方向の寸法よりも小さい。縦柱３の挿入部３５に溝３５２が形成されることによって、第１柱取付部３１２の剛性および第２柱取付部３２２の剛性は、互いに異なる。
【００４１】
具体的には、第１柱取付部３１１の剛性は、第２柱取付部３２１の剛性よりも高く、第１柱取付部３１２の剛性は、第２柱取付部３２２の剛性よりも高い。かご室の奥行方向Ｂについての第１柱取付部３１１と第２柱取付部３２１との剛性比は、例えば、約５：１から１０：１までの間となっている。かご室の奥行方向Ｂについての第１柱取付部３１２と第２柱取付部３２２との剛性比は、例えば、約５：１から１０：１までの間となっている。その他の構成は、実施の形態２と同様である。
【００４２】
溝３４２の長さ方向の寸法は、固定部１１の高さ方向の寸法よりも大きく、溝３５２の長さ方向の寸法は、固定部２１の高さ方向の寸法よりも大きいことが望ましい。言い換えれば、一対の固定部１１の間には、高さ方向全領域に渡って溝３４２が形成され、一対の固定部２１の間には、高さ方向全領域に渡って溝３５２が形成されることが望ましい。
【００４３】
次に、エレベータ用かご枠装置の組立手順について説明する。まず、一対の固定部１１の間に縦柱３の下端部を挿入し、一対の固定部２１の間に縦柱３の上端部を挿入する。一対の固定部１１の間に縦柱３を入れ易くするために、一対の固定部１１のそれぞれと縦柱３との間には隙間が形成される。また、一対の固定部２１の間に縦柱３を入れ易くするために、一対の固定部２１のそれぞれと縦柱３との間には隙間が形成される。
【００４４】
その後、複数の締結具１２を用いて第１柱取付部３１１に対して固定部１１を固定し、さらに、複数の締結具２２を用いて第１柱取付部３１２に対して固定部２１を固定する。第１柱取付部３１１に対して固定部１１を固定し、第１柱取付部３１２に対して固定部２１を固定すると、かご室の奥行方向Ｂについて第１柱取付部３１１と固定部１１との間の隙間がなくなり、また、かご室の奥行方向Ｂについて第１柱取付部３１２と固定部２１との間の隙間がなくなる。これにより、かご室の奥行方向Ｂについて第２柱取付部３２１と固定部１１との間に隙間が大きくなり、また、かご室の奥行方向Ｂについて第２柱取付部３２２と固定部２１との間に隙間が大きくなる。
【００４５】
その後、複数の締結具１２を用いて第２柱取付部３２１に対して固定部１１を固定し、さらに、複数の締結具２２を用いて第２柱取付部３２２に対して固定部２１を固定する。このとき、第２柱取付部３２１と固定部１１との間の隙間および第２柱取付部３２２と固定部２１との間の隙間がなくなるように縦柱３が変形する。また、このとき、第１柱取付部３１１の剛性が第２柱取付部３２１の剛性よりも高く、第１柱取付部３１２の剛性が第２柱取付部３２２の剛性よりも高いので、第１柱取付部３１１の変形量は第２柱取付部３２１の変形量よりも小さく、第１柱取付部３１２の変形量は第２柱取付部３２２の変形量よりも小さい。したがって、縦柱３が鉛直方向に延びたままの状態で一対の固定部１１のそれぞれと縦柱３との間の隙間および一対の固定部２１のそれぞれと縦柱３との間の隙間のそれぞれがなくなるように縦柱３を変形させることができる。
【００４６】
以上説明したように、この発明の実施の形態３に係るエレベータ用かご枠装置によれば、挿入部３４には溝３４２が形成され、溝３４２は、かご室の奥行方向Ｂについて、第１柱取付部３１１と第２柱取付部３２１との間に配置されているので、簡単な構成で、第１柱取付部３１１および第２柱取付部３２１を形成することができる。また、挿入部３５には溝３５２が形成され、溝３５２は、かご室の奥行方向Ｂについて、第１柱取付部３１２と第２柱取付部３２２との間に配置されているので、簡単な構成で、第１柱取付部３１２および第２柱取付部３２２を形成することができる。
【００４７】
また、溝３４２は、高さ方向に延びて配置されており、かご室の奥行方向Ｂについての挿入部３４の中心から奥行方向Ｂにずれて配置されているので、簡単な構成で、第１柱取付部３１１および第２柱取付部３２１を形成することができる。また、溝３５２は、高さ方向に延びて配置されており、かご室の奥行方向Ｂについての挿入部３５の中心から奥行方向Ｂにずれて配置されているので、簡単な構成で、第１柱取付部３１２および第２柱取付部３２２を形成することができる。
【００４８】
なお、各上記実施の形態では、縦柱３における一対の固定部１１に挟まれる部分において、奥行方向Ｂについての第１柱取付部３１１および第２柱取付部３２１のそれぞれの剛性が異なり、さらに、縦柱３における一対の固定部２１に挟まれる部分において、奥行方向Ｂについての第１柱取付部３１２および第２柱取付部３２２のそれぞれの剛性が異なる構成について説明したが、これに限らない。例えば、縦柱３における一対の固定部１１に挟まれる部分において、奥行方向Ｂについての第１柱取付部３１１および第２柱取付部３２１のそれぞれの剛性が異なり、さらに、縦柱３における一対の固定部２１に挟まれる部分において、奥行方向Ｂについての第１柱取付部３１２および第２柱取付部３２２のそれぞれの剛性が同一である構成であってもよい。また、縦柱３における一対の固定部１１に挟まれる部分において、奥行方向Ｂについての第１柱取付部３１１および第２柱取付部３２１のそれぞれの剛性が同一であり、さらに、縦柱３における一対の固定部２１に挟まれる部分において、奥行方向Ｂについての第１柱取付部３１２および第２柱取付部３２２のそれぞれの剛性が異なる構成であってもよい。
【００４９】
実施の形態４．
図１０はこの発明の実施の形態４に係るエレベータ用かご枠装置を示す正面図、図１１は図１０のエレベータ用かご枠装置を示す側面図、図１２は図１０のＸＩＩ−ＸＩＩ線に沿った矢視断面図である。実施の形態３では、縦柱３が一部材で構成され、縦柱３に溝３４２および溝３５２が形成された構成について説明した。実施の形態３の構成は、縦柱３に溝３４２および溝３５２を形成することができるような、小型のエレベータにおけるエレベータ用かご枠装置または小容量のエレベータにおけるエレベータ用かご枠装置に適している。実施の形態４の構成は、縦柱３に溝３４２および溝３５２を形成することができないような、小型のエレベータにおけるエレベータ用かご枠装置または小容量のエレベータにおけるエレベータ用かご枠装置に適している。
【００５０】
下梁１は、かご室の奥行方向Ｂについて縦柱３の下端部を挟む一対の固定部１１を有している。一対の固定部１１の中の一方は、固定部本体１１１と、固定部本体１１１に設けられ、固定部本体１１１を補強する補強部１１２とを備えている。一対の固定部１１の中の他方は、補強部を備えていない。したがって、一対の固定部１１のそれぞれは、互いに剛性が異なる。一対の固定部１１の中の一方を固定部１１Ａとし、他方を固定部１１Ｂとする。
【００５１】
具体的には、かご室の奥行方向Ｂについて、一対の固定部１１の中の一方である固定部１１Ａと他方である固定部１１Ｂとの剛性比は、例えば、約５：１から１０：１までの間となっている。
【００５２】
上梁２は、かご室の奥行方向Ｂについて縦柱３の上端部を挟む一対の固定部２１を有している。一対の固定部２１のそれぞれは、固定部１１Ａと異なり、補強部を備えていない。したがって、一対の固定部２１のそれぞれは、互いに剛性が同一である。一対の固定部２１の中の一方を固定部２１Ａとし、他方を固定部２１Ｂとする。
【００５３】
縦柱３は、一対の固定部１１の間に挿入される挿入部３４を有している。挿入部３４は、一対の固定部１１の一方に締結具１２によって固定される第１柱取付部３１１と、一対の固定部１１の他方に締結具１２によって固定される第２柱取付部３２１とを含んでいる。第１柱取付部３１１と第２柱取付部３２１とは、互いに一体となっている。
【００５４】
また、縦柱３は、一対の固定部２１の間に挿入される挿入部３５を有している。挿入部３４は、一対の固定部２１の一方に締結具２２によって固定される第１柱取付部３１２と、一対の固定部１１の他方に締結具２２によって固定される第２柱取付部３２２とを含んでいる。第１柱取付部３１２と第２柱取付部３２２とは、互いに一体となっている。その他の構成は、実施の形態１と同様である。
【００５５】
次に、エレベータ用かご枠装置の組立手順について説明する。まず、一対の固定部１１の間に縦柱３の下端部を挿入し、一対の固定部２１の間に縦柱３の上端部を挿入する。一対の固定部１１の間に縦柱３を入れ易くするために、一対の固定部１１のそれぞれと縦柱３との間には隙間が形成される。また、一対の固定部２１の間に縦柱３を入れ易くするために、一対の固定部２１それぞれと縦柱３との間には隙間が形成される。
【００５６】
その後、複数の締結具１２を用いて第１柱取付部３１１に対して固定部１１Ａを固定し、さらに、複数の締結具２２を用いて第１柱取付部３１２に対して固定部２１Ａを固定する。第１柱取付部３１１に対して固定部１１Ａを固定し、第１柱取付部３１２に対して固定部２１Ａを固定すると、かご室の奥行方向Ｂについて第１柱取付部３１１と固定部１１Ａとの間の隙間がなくなり、また、かご室の奥行方向Ｂについて第１柱取付部３１２と固定部２１Ａとの間の隙間がなくなる。これにより、かご室の奥行方向Ｂについて第２柱取付部３２１と固定部１１Ｂとの間に隙間が大きくなり、また、かご室の奥行方向Ｂについて第２柱取付部３２２と固定部２１Ｂとの間に隙間が大きくなる。
【００５７】
その後、複数の締結具１２を用いて第２柱取付部３２１に対して固定部１１Ｂを固定し、さらに、複数の締結具２２を用いて第２柱取付部３２２に対して固定部２１Ｂを固定する。このとき、第２柱取付部３２１と固定部１１Ｂとの間の隙間および第２柱取付部３２２と固定部２１Ｂとの間の隙間がなくなるように縦柱３が変形する。また、このとき、固定部１１Ａの剛性が固定部１１Ｂの剛性よりも高いので、固定部１１Ａの変形量は固定部１１Ｂの変形量よりも小さい。したがって、縦柱３が鉛直方向に延びたままの状態で一対の固定部１１のそれぞれと縦柱３との間の隙間がなくなるように縦柱３を変形させることができる。
【００５８】
以上説明したように、この発明の実施の形態４に係るエレベータ用かご枠装置によれば、一対の固定部１１の中の固定部１１Ａの剛性は固定部１１Ｂの剛性よりも高いので、締結具１２によって一対の固定部１１を縦柱３に対して固定する場合に、固定部１１Ａは、固定部１１Ｂと比較して、変形量が小さい。したがって、第１柱取付部３１１に対して先に固定部１１Ａを固定することによって、縦柱３が鉛直方向に延びたままの状態で一対の固定部１１と縦柱３との間の隙間がなくなるように一対の固定部１１を変形させることができる。これにより、複数の締結具１２のそれぞれの締付量および複数の締結具１２のそれぞれの締付順序のそれぞれの試行錯誤を繰り返す必要がなくなる。その結果、エレベータ用かご枠装置の組立作業効率を向上させることができる。
【００５９】
なお、上記実施の形態４では、固定部１１Ａが補強部１１２を備え、固定部１１Ｂ、固定部２１Ａおよび固定部２１Ｂが補強部を備えない構成について説明したが、これに限らない。例えば、固定部１１Ａおよび固定部２１Ａのそれぞれが補強部を備え、固定部１１Ｂおよび固定部２１Ｂが補強部を備えない構成であってもよい。また、固定部２１Ａが補強部を備え、固定部１１Ａ、固定部１１Ｂおよび固定部２１Ｂが補強部を備えない構成であってもよい。
【００６０】
また、各上記実施の形態では、エレベータ用かご枠装置における下梁１と縦柱３との固定、および上梁２と縦柱３との固定について説明したが、その他の機器の固定にも利用することができる。その他の機器の固定としては、例えば、エレベータ用つり合い重り枠における縦枠と上枠との固定、および縦枠と下枠との固定が挙げられる。
【符号の説明】
【００６１】
１  下梁、２  上梁、３  縦柱、１１、１１Ａ、１１Ｂ  固定部、１２  締結具、２１、２１Ａ、２１Ｂ  固定部、２２  締結具、３１  第１縦柱部材、３２  第２縦柱部材、３３  連結部材、３４  挿入部、３５  挿入部、１１１  固定部本体、１１２  補強部、３１１  第１柱取付部、３１２  第１柱取付部、３２１  第２柱取付部、３２２  第２柱取付部、３４１  切欠き、３４２  溝、３５１  切欠き、３５２  溝。
【図１】
2019038810.tif 000003
【図２】
2019038810.tif 000004
【図３】
2019038810.tif 000005
【図４】
2019038810.tif 000006
【図５】
2019038810.tif 000007
【図６】
2019038810.tif 000008
【図７】
2019038810.tif 000009
【図８】
2019038810.tif 000010
【図９】
2019038810.tif 000011
【図１０】
2019038810.tif 000012
【図１１】
2019038810.tif 000013
【図１２】
2019038810.tif 000014
【手続補正書】
【提出日】令和1年8月19日(2019.8.19)
【手続補正２】
【補正対象書類名】明細書
【補正対象項目名】０００１
【補正方法】変更
【補正の内容】
【０００１】
この発明は、かご室を支持するエレベータ用かご枠装置の組立方法に関する。
【手続補正３】
【補正対象書類名】明細書
【補正対象項目名】０００５
【補正方法】変更
【補正の内容】
【０００５】
この発明は、上述のような課題を解決するためになされたものであり、その目的は、組立作業効率を向上させることができるエレベータ用かご枠装置の組立方法を提供するものである。
【手続補正４】
【補正対象書類名】明細書
【補正対象項目名】０００６
【補正方法】変更
【補正の内容】
【０００６】
この発明に係るエレベータ用かご枠装置の組立方法は、下梁と、下梁よりも上方に設けられる上梁と、下梁と上梁との間に渡って設けられる縦柱とを備え、下梁および上梁の少なくとも一方は、互いに対向する一対の固定部を有し、縦柱は、一対の固定部の間に挿入される挿入部を有し、挿入部は、一対の固定部の一方に締結具によって固定される第１柱取付部と、一対の固定部の他方に締結具によって固定される第２柱取付部とを含み、第１柱取付部の剛性および第２柱取付部の剛性は、互いに異なるエレベータ用かご枠装置の組立方法であって、第１柱取付部および第２柱取付部における剛性の高い方が先に締結具によって固定部に固定され、その後、第１柱取付部および第２柱取付部における剛性の低い方が締結具によって固定部に固定される。
【手続補正５】
【補正対象書類名】特許請求の範囲
【補正対象項目名】全文
【補正方法】変更
【補正の内容】
【特許請求の範囲】
【請求項１】
下梁と、
前記下梁よりも上方に設けられる上梁と、
前記下梁と前記上梁との間に渡って設けられる縦柱と
を備え、
前記下梁および前記上梁の少なくとも一方は、互いに対向する一対の固定部を有し、
前記縦柱は、一対の前記固定部の間に挿入される挿入部を有し、
前記挿入部は、一対の前記固定部の一方に締結具によって固定される第１柱取付部と、一対の前記固定部の他方に締結具によって固定される第２柱取付部とを含み、
前記第１柱取付部の剛性および前記第２柱取付部の剛性は、互いに異なるエレベータ用かご枠装置の組立方法であって、
前記第１柱取付部および前記第２柱取付部における剛性の高い方が先に前記締結具によって前記固定部に固定され、その後、前記第１柱取付部および前記第２柱取付部における剛性の低い方が前記締結具によって前記固定部に固定されるエレベータ用かご枠装置の組立方法。
【請求項２】
前記縦柱は、前記第１柱取付部を含む第１縦柱部材と、前記第２柱取付部を含む第２縦柱部材と、前記第１縦柱部材と前記第２縦柱部材とを互いに連結する連結部材とを有し、
前記第１縦柱部材および前記第２縦柱部材は、互いに別部材となっている請求項１に記載のエレベータ用かご枠装置の組立方法。
【請求項３】
前記挿入部には、切欠きが形成されており、
前記切欠きは、一対の前記固定部が互いに対向する方向である対向方向について、前記第１柱取付部と前記第２柱取付部との間に配置されている請求項１に記載のエレベータ用かご枠装置の組立方法。
【請求項４】
前記切欠きは、高さ方向に延びて配置されており、前記対向方向についての前記挿入部の中心から前記対向方向にずれて配置されている請求項３に記載のエレベータ用かご枠装置の組立方法。
【請求項５】
前記挿入部には、溝が形成されており、
前記溝は、一対の前記固定部が互いに対向する方向である対向方向について、前記第１柱取付部と前記第２柱取付部との間に配置されている請求項１に記載のエレベータ用かご枠装置の組立方法。
【請求項６】
前記溝は、高さ方向に延びて配置されており、前記対向方向についての前記挿入部の中心から前記対向方向にずれて配置されている請求項５に記載のエレベータ用かご枠装置の組立方法。
【請求項７】
下梁と、
前記下梁よりも上方に設けられる上梁と、
前記下梁と前記上梁との間に渡って設けられる縦柱と
を備え、
前記下梁および前記上梁の少なくとも一方は、互いに対向する一対の固定部を有し、
前記縦柱は、一対の前記固定部の間に挿入される挿入部を有し、
前記挿入部は、一対の前記固定部の一方に締結具によって固定され、一対の前記固定部の他方に締結具によって固定され、
一対の前記固定部のそれぞれの剛性は、互いに異なるエレベータ用かご枠装置の組立方法であって、
一対の前記固定部における剛性の高い方に先に前記締結具によって前記挿入部が固定され、その後、一対の前記固定部における剛性の低い方に前記締結具によって前記挿入部が固定されるエレベータ用かご枠装置の組立方法。
【国際調査報告】
2019038810.tif 000015
2019038810.tif 000016
2019038810.tif 000017
2019038810.tif 000018